(57)【要約】【課題】本発明の目的は、装置の低コスト化をはかることである。【解決手段】駆動手段の回転を第１の給送手段に伝達する第１の伝達経路に、駆動手段の第１の回転方向の回転を第１の給送手段に伝達し、第１の回転方向と反対方向である第２の回転方向の回転を第１の給送手段に伝達しない第１のクラッチを設け、駆動手段の回転を両面搬送手段に伝達する第３の伝達経路と駆動手段の回転を搬送手段に伝達する第４の伝達経路の分岐部または前記駆動手段と前記分岐部との間の伝達経路に、駆動手段の第２の回転方向の回転を前記搬送手段及び前記両面搬送手段に伝達し、前記第１の回転方向の回転を前記搬送手段及び前記両面搬送手段に伝達しない第２のクラッチを設ける。【選択図】    図３
2016098052.tif 000002
【特許請求の範囲】
【請求項１】
第１の回転方向及び前記第１の回転方向と反対方向である第２の回転方向に駆動回転する駆動手段と、
記録媒体を給送する第１の給送手段と、
前記駆動手段の回転を前記第１の給送手段に伝達する第１の伝達経路と、
前記第１の伝達経路に設けられ、前記第１の回転方向の回転を前記第１の給送手段に伝達し、前記第２の回転方向の回転を前記第１の給送手段に伝達しない第１のクラッチと、
前記第１の給送手段とは別に設けられ、記録媒体を給送する第２の給送手段と、
前記駆動手段の回転を前記第２の給送手段に伝達する第２の伝達経路と、
両面搬送路に設けられた両面搬送手段と、
前記第１の給送手段または前記第２の給送手段により給送された記録媒体を搬送する搬送手段と、
前記駆動手段の回転を前記両面搬送手段に伝達する第３の伝達経路と、
分岐部において前記第３の伝達経路から分岐し、前記駆動手段の回転を前記搬送手段に伝達する第４の伝達経路と、
前記分岐部または前記駆動手段と前記分岐部との間の伝達経路に設けられ、前記第２の回転方向の回転を前記搬送手段及び前記両面搬送手段に伝達し、前記第１の回転方向の回転を前記搬送手段及び前記両面搬送手段に伝達しない第２のクラッチと、
を有することを特徴とする記録媒体搬送装置。
【請求項２】
前記第２の伝達経路に設けられ、前記第２の回転方向の回転を前記第２の給送手段に伝達し、前記第１の回転方向の回転を前記第２の給送手段に伝達しない第３のクラッチを有することを特徴とする請求項１に記載の記録媒体搬送装置。
【請求項３】
前記第２の伝達経路は、前記第１の伝達経路から分岐し、その分岐より下流の伝達経路に前記第３のクラッチを設けたことを特徴とする請求項２に記載の記録媒体搬送装置。
【請求項４】
前記駆動手段は、パルスモータであることを特徴とする請求項１から請求項３のいずれか１項に記載の記録媒体搬送装置。
【請求項５】
前記両面搬送手段は、装置本体に対して開閉可能に設けられたユニットに保持されており、
前記第３の伝達経路の分岐部より下流の前記第４の伝達経路に、前記両面搬送手段を保持するユニットを開く動作に伴って、伝達経路を切断する接続部を設けたことを特徴とする請求項１から請求項４のいずれか１項に記載の記録媒体搬送装置。
【請求項６】
前記接続部は、前記装置本体に設けられ、揺動する揺動ギアを有し、
前記両面搬送手段を保持するユニットを開いたときに、前記ユニットが有する前記揺動ギアに噛み合うギアが、前記揺動ギアから離間して伝達経路を切断することを特徴とする請求項５に記載の記録媒体搬送装置。
【請求項７】
第１の回転方向及び前記第１の回転方向と反対方向である第２の回転方向に駆動回転する駆動手段と、
記録媒体を給送する第１の給送手段と、
前記駆動手段の回転を前記第１の給送手段に伝達する第１の伝達経路と、
前記第１の伝達経路に設けられ、前記第１の回転方向の回転を前記第１の給送手段に伝達し、前記第２の回転方向の回転の前記第１の給送手段への伝達を規制する第１のクラッチと、
前記第１の給送手段とは別に設けられ、記録媒体を給送する第２の給送手段と、
前記駆動手段の回転を前記第２の給送手段に伝達する第２の伝達経路と、
両面搬送路に設けられた両面搬送手段と、
前記第１の給送手段または前記第２の給送手段により給送された記録媒体を搬送する搬送手段と、
前記駆動手段の回転を前記両面搬送手段に伝達する第３の伝達経路と、
分岐部において前記第３の伝達経路から分岐し、前記駆動手段の回転を前記搬送手段に伝達する第４の伝達経路と、
前記分岐部または前記駆動手段と前記分岐部との間の伝達経路に設けられ、前記第２の回転方向の回転を前記搬送手段及び前記両面搬送手段に伝達し、前記第１の回転方向の回転の前記搬送手段及び前記両面搬送手段への伝達を規制する第２のクラッチと、
を有することを特徴とする記録媒体搬送装置。
【請求項８】
記録媒体を搬送する記録媒体搬送装置と、前記記録媒体搬送装置に送られてきた記録媒体に画像を転写する転写部と、を有する画像形成装置において、
前記記録媒体搬送装置として、請求項１から請求項７のいずれか１項に記載の記録媒体搬送装置を有することを特徴とする画像形成装置。
【発明の詳細な説明】
【技術分野】
【０００１】
本発明は、記録媒体を搬送する記録媒体搬送装置及びこれを備えた画像形成装置に関するものである。
【背景技術】
【０００２】
従来から、複写機、プリンタ、ファクシミリなどの画像形成装置は、低コスト化、そして、記録媒体への両面印刷機能が求められている。
【０００３】
特許文献１には、第１の給送ローラによって給送トレイから記録媒体を給送し、または、第１の給送ローラとは別に設けられた第２の給送ローラによって手差しトレイから記録媒体を給送して、画像形成手段にて記録媒体に画像を形成する構成が開示されている。さらに特許文献１には、両面に画像を形成する際には、一方の面に画像が形成された記録媒体を、両面ローラ対を用いて再び画像形成手段に搬送して他方の面に画像を形成することが開示されている。
【先行技術文献】
【特許文献】
【０００４】
【特許文献１】特開２００９−２２２９２４号公報
【発明の概要】
【発明が解決しようとする課題】
【０００５】
上記特許文献１に開示されている構成では、記録媒体を搬送するために、第１の給送ローラ及び第２の給送ローラを一方向に回転させる一方で、両面ローラ対を回転させる必要がある。
【０００６】
しかしながら、特許文献１には、第１の給送ローラ及び第２の給送ローラと、両面ローラ対を、どのように回転駆動させるかについては開示されていない。仮に、第１の給送ローラと第２の給送ローラを回転させるためのモータと、両面ローラ対を回転させるためのモータを別個に設けた場合には、コストアップにつながってしまう。
【０００７】
そこで、本発明の目的は、装置の低コスト化をはかることである。
【課題を解決するための手段】
【０００８】
上記目的を達成するため、本発明は、第１の回転方向及び前記第１の回転方向と反対方向である第２の回転方向に駆動回転する駆動手段と、記録媒体を給送する第１の給送手段と、前記駆動手段の回転を前記第１の給送手段に伝達する第１の伝達経路と、前記第１の伝達経路に設けられ、前記第１の回転方向の回転を前記第１の給送手段に伝達し、前記第２の回転方向の回転を前記第１の給送手段に伝達しない第１のクラッチと、前記第１の給送手段とは別に設けられ、記録媒体を給送する第２の給送手段と、前記駆動手段の回転を前記第２の給送手段に伝達する第２の伝達経路と、両面搬送路に設けられた両面搬送手段と、前記第１の給送手段または前記第２の給送手段により給送された記録媒体を搬送する搬送手段と、前記駆動手段の回転を前記両面搬送手段に伝達する第３の伝達経路と、分岐部において前記第３の伝達経路から分岐し、前記駆動手段の回転を前記搬送手段に伝達する第４の伝達経路と、前記分岐部または前記駆動手段と前記分岐部との間の伝達経路に設けられ、前記第２の回転方向の回転を前記搬送手段及び前記両面搬送手段に伝達し、前記第１の回転方向の回転を前記搬送手段及び前記両面搬送手段に伝達しない第２のクラッチと、を有することを特徴とする。
【発明の効果】
【０００９】
本発明によれば、 第１の給送手段、第２の給送手段、搬送手段、両面搬送手段を一つの駆動手段で駆動することができ、なおかつ、駆動手段を駆動するとき、全ての負荷が同時にかからないようにして、装置の低コスト・省スペース化をはかることができる。
【図面の簡単な説明】
【００１０】
【図１】本発明に係る画像形成装置の一例を示す外観斜視図
【図２】本発明に係る画像形成装置の一例を示す断面概略図
【図３】本発明に係る画像形成装置の駆動ギア列および搬送ローラを示す斜視図
【図４】本発明に係る画像形成装置の駆動ギア列のモータ駆動ギアが反時計回り方向に回転した時の状態を示す断面図
【図５】本発明に係る画像形成装置のラチェットギアの詳細斜視図
【図６】本発明に係る画像形成装置のラチェットギアの詳細斜視図（図５を反対方向から見た図）
【図７】本発明に係る画像形成装置の駆動ギア列のモータ駆動ギアが時計回り方向に回転した時の状態を示す断面図
【図８】本発明に係る画像形成装置の両面ユニットが開いた状態を示す断面図
【発明を実施するための形態】
【００１１】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１２】
以下、本発明の実施形態に係る記録媒体搬送装置及びこれを備えた画像形成装置について図１〜図８を用いて説明する。
【００１３】
なお、以下の実施形態では画像形成装置として、４個のプロセスカートリッジが着脱可能なフルカラー電子写真画像形成装置を例示している。
【００１４】
しかしながら、前記電子写真画像形成装置（以下、画像形成装置と称す）に装着するプロセスカートリッジの個数はこれに限定されるものではない。必要に応じて適宜設定されるものである。例えば、モノクロの画像を形成する画像形成装置の場合には、前記画像形成装置に装着されるプロセスカートリッジの個数は１個である。
【００１５】
また、以下に説明する実施形態によれば、画像形成装置の一態様としてプリンタを例示している。しかしながら、これに限定されるものではない。例えば、複写機、ファクシミリ装置等の他の画像形成装置や、或いはこれらの機能を組み合わせた複合機等の他の画像形成装置にも適用することができる。
【００１６】
《画像形成装置の概略構成》
まず、画像形成装置の概略構成について説明する。図１は本実施形態の画像形成装置の外観斜視図、図２は本実施形態の画像形成装置の断面概略図を示す。
【００１７】
この画像形成装置１は、電子写真プロセスを用いた４色フルカラーレーザプリンタであり、記録媒体にカラー画像形成を行う。画像形成装置１はプロセスカートリッジ方式であり、プロセスカートリッジＰ（以下、カートリッジと称す）を装置本体２に取り外し可能に装着して、記録媒体Ｓにカラー画像を形成するものである。
【００１８】
ここで、画像形成装置１に関して、装置開閉ドア３を設けた側を正面側（手前側）、正面側と反対側である、後述する両面ユニット８０を設けた側を背面側（奥側）とする。また、画像形成装置１を正面から見て右側を駆動側、左側を非駆動側と称す。
【００１９】
画像形成装置１の装置本体２には、第１のカートリッジＰＹ、第２のカートリッジＰＭ、第３のカートリッジＰＣ、第４のカートリッジＰＫの４つのカートリッジＰ（ＰＹ・ＰＭ・ＰＣ・ＰＫ）が水平方向に配置されている。第１〜第４のカートリッジＰ（ＰＹ・ＰＭ・ＰＣ・ＰＫ）には装置本体２の画像形成駆動モータ（不図示）から回転駆動力が伝達される。また、第１〜第４の各カートリッジＰ（ＰＹ・ＰＭ・ＰＣ・ＰＫ）には装置本体２からバイアス電圧（帯電バイアス、現像バイアス等）が供給される（不図示）。
【００２０】
第１〜第４の各カートリッジＰ（ＰＹ・ＰＭ・ＰＣ・ＰＫ）は、それぞれ同様の電子写真プロセス機構を有しており、現像剤（以下トナーと称す）の色が各々異なるものである。第１のカートリッジＰＹは、イエロー（Ｙ）のトナーを収容しており、感光体ドラム４０の表面にイエロー色のトナー像を形成する。第２のカートリッジＰＭは、マゼンタ（Ｍ）のトナーを収容してあり、感光体ドラム４０の表面にマゼンタ色のトナー像を形成する。第３のカートリッジＰＣは、シアン（Ｃ）のトナーを収容してあり、感光体ドラム４０の表面にシアン色のトナー像を形成する。第４のカートリッジＰＫは、ブラック（Ｋ）のトナーを収容しており、感光体ドラム４０の表面にブラック色のトナー像を形成する。
【００２１】
第１〜第４のカートリッジＰ（ＰＹ・ＰＭ・ＰＣ・ＰＫ）の上方には、露光手段としてのレーザスキャナユニットＬＳが設けられている。このレーザスキャナユニットＬＳは、画像情報に対応してレーザ光Ｚを出力する。そして、レーザ光Ｚは、カートリッジＰの露光窓部を通過して感光体ドラム４０の表面を走査露光する。
【００２２】
第１〜第４のカートリッジＰ（ＰＹ・ＰＭ・ＰＣ・ＰＫ）の下方には、転写部材としての中間転写ベルトユニット１１を設けている。この中間転写ベルトユニット１１は、駆動ローラ１３、ターンローラ１７、テンションローラ１５を有し、及び可撓性を有する転写ベルト１２を有し、前記３つのローラ１３，１７，１５により前記転写ベルト１２を掛け渡している。
【００２３】
第１〜第４の各カートリッジＰ（ＰＹ・ＰＭ・ＰＣ・ＰＫ）の感光体ドラム４０は、転写ベルト１２の上面に接している。その接触部が１次転写部である。転写ベルト１２の内側には、感光体ドラム４０に対向させて１次転写ローラ１６を設けている。
【００２４】
ターンローラ１７には転写ベルト１２を介して２次転写ローラ１４を当接させている。転写ベルト１２と２次転写ローラ１４の接触部が２次転写部である。
【００２５】
中間転写ベルトユニット１１の下方には、給送ユニット１８を設けている。この給送ユニット１８は、記録媒体Ｓを積載して収容する給送トレイ１９と、給送トレイ１９から記録媒体Ｓを給送する第２の給送手段としての給送ローラ２０と、を有している。
【００２６】
給送ローラ２０の手前側には、手差し給送口３０から手差しされた記録媒体Ｓを給送する第１の給送手段としての給送ローラ２５，２６が設けられている。また手差し給送口３０の近傍には、手差しされた記録媒体Ｓを検出する記録媒体検出手段２７が設けられている。
【００２７】
手差し給送口３０から手差しされた記録媒体Ｓは、記録媒体検出手段２７により検出される。すると、手差し給送用の給送ローラ２５，２６が回転駆動されて、手差しされた記録媒体Ｓが前記手差し給送用の給送ローラ２５，２６により、給送ローラ２０へと導かれて、給送トレイ１９に積載された記録媒体Ｓと同様に、給送される。
【００２８】
装置本体２内の奥側上方には、定着ユニット２１と、排出ローラ２２が設けられている。装置本体２の上面は排出トレイ２３としている。記録媒体Ｓは前記定着ユニット２１に設けられた定着手段によりトナー像が定着され、排出ローラ２２により前記排出トレイ２３へ排出される。
【００２９】
《画像形成動作》
上記構成の画像形成装置においてフルカラー画像を形成するための動作を説明する。
【００３０】
第１〜第４の各カートリッジＰ（ＰＹ・ＰＭ・ＰＣ・ＰＫ）の感光体ドラム４０が所定の速度で回転駆動される（図２矢印方向、反時計回り方向）。転写ベルト１２も感光体ドラムの回転に順方向（図２矢印Ｃ方向）に感光体ドラム４０の速度に対応した速度で回転駆動される。
【００３１】
レーザスキャナユニットＬＳは各感光体ドラム４０の表面を各色の画像信号に応じてレーザ光Ｚで走査露光する。これにより、各感光体ドラム４０の表面に対応色の画像信号に応じた静電潜像が形成される。各感光体ドラム４０の表面に形成された静電潜像は、所定の速度で回転駆動される現像ローラ（不図示）により現像される。
【００３２】
前記のような電子写真画像形成プロセス動作により、第１のカートリッジＰＹの感光体ドラム４０にはフルカラー画像のイエロー成分に対応するイエロー色のトナー像が形成される。そして、そのトナー像が感光体ドラム４０と１次転写ローラ１６とが対向する１次転写部にて転写ベルト１２上に１次転写される。
【００３３】
同様に第２のカートリッジＰＭの感光体ドラム４０にはフルカラー画像のマゼンタ成分に対応するマゼンタ色トナー像が形成される。そして、そのトナー像が、感光体ドラム４０と１次転写ローラ１６とが対向する１次転写部にて転写ベルト１２上にすでに転写されているイエロー色のトナー像に重畳されて１次転写される。
【００３４】
同様に第３のカートリッジＰＣの感光体ドラム４０にはフルカラー画像のシアン成分に対応するシアン色トナー像が形成される。そして、そのトナー像が、感光体ドラム４０と１次転写ローラ１６とが対向する１次転写部にて転写ベルト１２上にすでに転写されているイエロー色、マゼンタ色のトナー像に重畳されて１次転写される。
【００３５】
同様に第４のカートリッジＰＫの感光体ドラム４０にはフルカラー画像のブラック成分に対応するブラック色トナー像が形成される。そして、そのトナー像が、感光体ドラム４０と１次転写ローラ１６とが対向する１次転写部にて転写ベルト１２上にすでに転写されているイエロー色、マゼンタ色、シアン色のトナー像に重畳されて１次転写される。
【００３６】
このようにして、転写ベルト１２上にイエロー色、マゼンタ色、シアン色、ブラック色の４色フルカラーの未定着トナー像が形成される。
【００３７】
一方、所定の制御タイミングで記録媒体Ｓが１枚ずつ分離されて給送される。給送トレイ１９に収容された記録媒体Ｓは、給送ローラ２０によって１枚ずつ分離されて給送される。もしくは、手差し給送口３０から手差しされた記録媒体Ｓは、手差し給送用の給送ローラ２５，２６によって送られ、さらに給送ローラ２０によって給送される。その記録媒体Ｓは、搬送手段としての搬送ローラ（以下、レジストローラと呼ぶ）４３により、所定の制御タイミングで２次転写ローラ１４と転写ベルト１２との当接部である２次転写部に導入される。
【００３８】
これにより、記録媒体Ｓが前記２次転写部へ搬送されていく過程で、転写ベルト１２上の４色重畳のトナー像が記録媒体Ｓの面に順次に一括転写される。
【００３９】
両面プリント時には、記録媒体Ｓの後端付近が排出ローラ２２に到達した後、切替部材６２を不図示の駆動手段によって両面搬送位置（図２中破線位置）に移動させる。そして、排出ローラ２２を不図示の駆動手段によって逆回転させて、記録媒体Ｓを両面ユニット８０に送る。この両面ユニット８０は、装置本体２に対して開閉可能に構成されており、詳細については後述する。
【００４０】
次に、両面ユニット８０における両面搬送手段としての両面搬送ローラ８１，８２によって、記録媒体Ｓは、斜行補正手段を保持した搬送手段としてのレジストローラ４３まで搬送される。両面搬送ローラ８１，８２は、両面ユニット８０において記録媒体Ｓを案内する両面搬送路に設けられている。その後、記録媒体Ｓは、１面目のプリントと同様に２面目（両面）をプリントされて排出される。
【００４１】
《駆動ギア列の構成》
次に図３を用いて、上記画像形成装置における記録媒体搬送装置の駆動伝達経路の構成について説明する。ここでは、記録媒体搬送装置が給送ローラ２０、給送ローラ２５，２６、レジストローラ４３、両面搬送ローラ８１，８２よりなる構成を例示して説明する。図３は、給送ローラ２０、給送ローラ２５，２６、レジストローラ４３、両面搬送ローラ８１，８２と駆動伝達経路である駆動ギア列との関係を示す斜視図である。
【００４２】
本実施形態に係る記録媒体搬送装置は、各ローラに駆動を伝達する伝達経路として、以下の伝達経路を有している。駆動手段の回転を第１の給送手段としての給送ローラ２５，２６に伝達する第１の伝達経路、駆動手段の回転を第２の給送手段としての給送ローラ２０に伝達する第２の伝達経路を有している。また駆動手段の回転を両面搬送手段としての両面搬送ローラ８１，８２に伝達する第３の伝達経路、分岐部において前記第３の伝達経路から分岐し、駆動手段の回転をレジストローラ４３に伝達する第４の伝達経路を有している。
【００４３】
駆動手段は、第１の回転方向または前記第１の回転方向と反対方向である第２の回転方向に駆動回転する。ここでは、図示していないが、駆動手段としてパルスモータを用いている。
【００４４】
第１の伝達経路は、図３に示すように、モータ駆動ギア７８、アイドラギア列７９、揺動支点ギア６９、揺動ギア６８、ギア６７，６０，６５，６３によって構成されている。モータ駆動ギア７８は、駆動手段としてのモータ（不図示）により駆動される。アイドラギア列７９は、モータ駆動ギア７８と噛み合うギアを含む複数のギアからなるギア列である。揺動支点ギア６９は、アイドラギア列７９に含まれるギアと噛み合い、揺動板５４の揺動支点となっている。揺動ギア６８は、揺動支点ギア６９と噛み合い、揺動板５４に支持されており、揺動支点ギア６９の回転に伴って回転しつつその回転方向に移動する。ギア６７は、揺動ギア６８と噛み合う。ギア６０は、ギア６７と噛み合い、フェースギア６６と一体に形成され、手差し給送ローラ２６を駆動する。ギア６５は、フェースギア６６と噛み合い、軸５５によってギア６３と一体に形成される。フェースギア６４は、ギア６３と噛み合い、手差し給送ローラ２５を駆動する。
【００４５】
前記第１の伝達経路において、揺動支点ギア６９、揺動板５４、及び揺動ギア６８は、駆動手段の一方の方向への回転のみを伝達する第１のクラッチを構成している。すなわち、揺動支点ギア６９、揺動板５４、及び揺動ギア６８は、駆動手段の第１の回転方向の回転を給送ローラ２５，２６に伝達し、駆動手段の第２の回転方向の回転を給送ローラ２５，２６に伝達しない第１のクラッチを構成している。なお、ここでは第１のクラッチとして、いわゆる振り子ギア（揺動支点ギア６９、揺動板５４、揺動ギア６８）を用いているが、これに限定されるものではなく、一方の方向の回転力のみを伝達する機構であればその他の構成であってもよい。第１のクラッチは、第２の回転方向の回転の給送ローラ２５，２６への伝達を規制する構成でもよい。
【００４６】
第２の伝達経路は、図３に示すように、アイドラギア列７９から駆動を伝達され給送ローラ２０を駆動する欠け歯ギア５１、欠け歯ギア５１を制御するソレノイド５０によって構成されている。すなわち、ここでは第２の伝達経路は、第１の伝達経路から分岐した構成となっている。さらに欠け歯ギア５１及びソレノイド５０は、駆動手段の一方の方向の回転力のみを給送ローラ２０に伝達する第３のクラッチとして機能する。
【００４７】
第３の伝達経路は、図３に示すように、モータ駆動ギア７８、ラチェット入力ギア７５、ギア７７ｂとギア７７ａが一体に形成されたギア７７、ギア７６によって構成されている。ラチェット入力ギア７５は、モータ駆動ギア７８と噛み合い、後述する第２のクラッチとしてのラチェットギアを構成している。ギア７７のギア７７ｂは、ラチェット入力ギア７５と噛み合う。ギア７６は、ギア７７のギア７７ａと噛み合い、レジストローラ４３を駆動する。
【００４８】
第４の伝達経路は、図３に示すように、分岐部において前記第３の伝達経路から分岐し、揺動支点ギア７４、揺動板５３、ギア７３ｂとギア７３ａが一体で構成された揺動ギア７３、ギア７２、ギア７０、アイドラギア列７１によって構成されている。揺動支点ギア７４は、後述する第２のクラッチとしてのラチェットギアを構成するラチェット出力ギア５８（図４参照）と噛み合い、揺動板５３の揺動支点（回動中心７４ａ）となっている。揺動ギア７３ｂは、揺動支点ギア７４と噛み合い、揺動板５３に支持されており、揺動支点ギア７４の回転に伴って回転しつつその回転方向に移動する。ギア７２は、揺動ギア７３ａと噛み合い、両面搬送ローラ８２を駆動する。ギア７０は、両面搬送ローラ８１を駆動する。アイドラギア列７１は、ギア７２と噛み合うギア及びギア７０と噛み合うギアを含む複数のギアからなるギア列であり、両面搬送ローラを駆動するギア７０，７２に回転を伝達する。
【００４９】
前記第４の伝達経路において、揺動支点ギア７４、揺動板５３、揺動ギア７３、及びバネ５２は、両面搬送ローラ８１，８２を保持する両面ユニット８０を開く動作に伴って、伝達経路を切断する接続部を構成している。すなわち、揺動支点ギア７４、揺動板５３、揺動ギア７３、及びバネ５２は、両面ユニット８０を開いたときに、両面ユニット８０が有する前記揺動ギア７３に噛み合うギア７２が、前記揺動ギア７３から離間して伝達経路を切断する接続部を構成している。なお、ここでは接続部として、いわゆる振り子ギア（揺動支点ギア６９、揺動板５４、揺動ギア６８、バネ５２）を用いているが、これに限定されるものではなく、ユニットを開く動作に伴って伝達経路を切断する機構であればその他の構成であってもよい。
【００５０】
図４は、前述した駆動ギア列の概略断面図である。図４において、５８はラチェット出力ギア、５２は揺動板５３を付勢するバネを示す。
【００５１】
《ラチェットギアの構成》
次に、図５及び図６を用いて、第２のクラッチとしてのラチェットギアの構成について説明する。図５は、ラチェットギアの詳細図（斜視図）である。図５において、７５ａはラチェット入力ギア７５に一体で形成される爪、５９はラチェット出力ギア５８をラチェット入力ギア７５に向けて付勢するバネを示す。
【００５２】
図６は、図５で示したラチェットギアを反対方向からみた詳細図（斜視図）である。図６において、５８ａはラチェット出力ギア５８に一体で形成される爪を示す。ラチェット入力ギア７５とラチェット出力ギア５８は、バネ５９により圧接する。
【００５３】
ラチェット入力ギア７５が図５の実線矢印方向に回転すると、ラチェット入力ギア７５の爪７５ａがラチェット出力ギア５８の爪５８ａと噛み合い、爪７５ａから爪５８ａへ駆動力が伝達され、ラチェット出力ギア５８を実線矢印方向に回転させる。一方、ラチェット入力ギア７５が図５の破線矢印方向に回転すると、爪７５ａ、爪５８ａの斜面部によりラチェット入力ギア７５が空回転し、ラチェット出力ギア５８に対して駆動力を伝達しない。このように、第２のクラッチとしてのラチェットギアは、駆動手段の一方の方向への回転のみを伝達する。第２のクラッチは、ラチェット出力ギア５８への回転の伝達を規制する構成でもよい。
【００５４】
なお、ここでは第２のクラッチとしてのラチェットギアを、前述した第４の伝達経路と第３の伝達経路の分岐部に設けた構成を例示したが、これに限定されるものではなく、第２のクラッチを駆動手段と前記分岐部との間の伝達経路に設けた構成であってもよい。また、ラチェットギアを構成するラチェット入力ギア７５、ラチェット出力ギア５８、バネ５９は、駆動手段の一方の方向の回転力のみを伝達する第２のクラッチを構成している。すなわち、ラチェットギアは、駆動手段の第２の回転方向の回転をレジストローラ４３及び両面搬送ローラ８１，８２に伝達し、駆動手段の第１の回転方向の回転をレジストローラ４３及び両面搬送ローラ８１，８２に伝達しない第２のクラッチを構成している。なお、ここでは第２のクラッチとして、いわゆるラチェットギア（ラチェット入力ギア７５、ラチェット出力ギア５８、バネ５９）を用いているが、これに限定されるものではなく、一方の方向の回転力のみを伝達する機構であればその他の構成であってもよい。第２のクラッチは、第１の回転方向の回転のレジストローラ４３及び両面搬送ローラ８１，８２への伝達を規制する構成でもよい。
【００５５】
《駆動動作》
次に、駆動ギア列の駆動動作について、図４及び図７を用いて説明する。図４は、モータが反時計回り方向に回転した時の駆動動作を示す断面図である。図７は、モータが時計回り方向に回転した時の駆動動作を示す断面図である。
【００５６】
先ず、図４を用いて、モータが第１の回転方向である反時計回り方向に回転した時の駆動動作について説明する。
【００５７】
モータが反時計回り方向に回転すると、モータ駆動ギア７８が反時計回り方向に回転し、アイドラギア列７９を介して揺動支点ギア６９が破線矢印方向に回転する。そして、この回転力により揺動板５４が破線矢印方向に揺動し、揺動ギア６８はギア６７と噛み合う位置となる。これにより、フェースギア６６が回転し、ギア６５、軸５５、ギア６３を介してフェースギア６４を回転駆動させ、手差し給送ローラ２６、手差し給送ローラ２５が回転する。
【００５８】
欠け歯ギア５１は、アイドラギア列７９を介して駆動が伝達され、反時計回り方向（破線矢印方向）に回転している。
【００５９】
またモータが反時計回り方向に回転すると、ラチェット入力ギア７５は時計回り方向（破線矢印方向）に回転し、前述した爪７５ａ，５８ａが空回転するので、ラチェット出力ギア５８は回転しない。これにより、ラチェット出力ギア５８より下流のギア７７（７７ｂ、７７ａ），７６と揺動支点ギア７４、揺動ギア７３ｂ（７３ａ）、ギア７２、アイドラギア列７１、ギア７０は回転しない。従って、モータが反時計回り方向に回転しても、その回転をラチェットギアが伝達しないので、レジストローラ４３及び両面搬送ローラ８１，８２は回転しない。
【００６０】
次に、図７を用いて、モータが第２の回転方向である時計回り方向に回転した時の駆動動作について説明する。
【００６１】
モータが時計回り方向に回転すると、モータ駆動ギア７８が時計回り方向に回転し、アイドラギア列７９を介して揺動支点ギア６９が実線矢印方向に回転する。そして、この回転力により揺動板５４が実線矢印方向に揺動し、揺動ギア６８はギア６７と噛み合わない離間した位置となる。これにより、ギア６７より下流のギア列は回転しないので、手差し給送ローラ２６、手差し給送ローラ２５は回転しない。
【００６２】
欠け歯ギア５１は、アイドラギア列７９を介して駆動が伝達され、時計回り方向（実線矢印方向）に回転している。
【００６３】
またモータが時計回り方向に回転すると、ラチェット入力ギア７５は反時計回り方向（実線矢印方向）に回転し、前述した爪７５ａから爪５８ａへ駆動力が伝達されるので、ラチェット出力ギア５８は回転する。ラチェット出力ギア５８が回転すると、ギア７７（７７ｂ、７７ａ）、ギア７６を介してレジストローラ４３が回転する。また、ラチェット出力ギア５８が回転すると、揺動支点ギア７４、揺動ギア７３ｂ，７３ａ、ギア７２、アイドラギア列７１、ギア７０を駆動させる。これにより、両面搬送ローラ８１，８２が回転する。
【００６４】
《プリント動作》
次に駆動ギア列による記録媒体搬送装置の給送動作とプリント動作について説明する。
【００６５】
先ず、図２を用いて、記録媒体Ｓを手差し給送口３０から手差し給送ローラ２５、２６によって給送する動作について説明する。
【００６６】
図２に示すように、手差し給送口３０から操作者が記録媒体Ｓを挿入し、その記録媒体Ｓを記録媒体検出手段２７によって検出すると、モータが第１の回転方向に回転し、モータ駆動ギア７８が反時計回り方向に回転する。これにより、前述したように、手差し給送ローラ２５、手差し給送ローラ２６が回転する。
【００６７】
操作者により、手差し給送ローラ２５のニップに導かれた記録媒体Ｓは、給送されて手差し給送ローラ２６を経て、検出手段２８にて記録媒体Ｓの先端を検出される。記録媒体Ｓは先端が検出された後、所定量を搬送され、給送ローラ２０まで搬送され、モータを止めることにより手差し給送ローラ２５、手差し給送ローラ２６は停止する。
【００６８】
ここで、プリント信号が入力されていると、モータが第２の回転方向に回転し、モータ駆動ギア７８が時計回り方向に回転し、欠け歯ギア５１、ギア７６、ギア７２、ギア７０を駆動する。そして、ソレノイド５０が作動すると、欠け歯ギア５１が回転し、給送ローラ２０が手差し給送ローラ２５と手差し給送ローラ２６によって導かれた記録媒体Ｓを給送する。
【００６９】
給送された記録媒体Ｓは、モータ駆動ギア７８の時計回り方向の回転により駆動回転するレジストローラ４３に導かれ、レジストローラ４３部により斜行補正された後、２次転写部にて画像を転写され、定着ユニット２１を経て排出ローラ２２に到達する。
【００７０】
排出ローラ２２に到達した記録媒体Ｓは、片面プリント時には排出トレイ２３に排出される。一方、両面プリント時には、記録媒体Ｓの後端付近が排出ローラ２２に到達した後、切替部材６２を不図示の駆動手段によって両面搬送位置（図２の実線位置）に移動させる。そして、排出ローラ２２を不図示の駆動手段によって逆回転させて、記録媒体Ｓを両面ユニット８０に送る。
【００７１】
モータ駆動ギア７８の時計回り方向の回転により、両面ユニット８０における両面搬送ローラ８１、８２は図２の矢印方向に回転している。そして、両面搬送ローラ８１、８２により記録媒体Ｓをレジストローラ４３まで搬送する。その後、記録媒体Ｓは、１面目のプリントと同様に２面目（両面）をプリントされ、排出ローラ２２により排出トレイ２３に排出される。このように、手差し給送口３０から給送してプリントする場合、モータは第１の回転方向に回転した後、第２の回転方向に回転駆動する。
【００７２】
次に、記録媒体Ｓを給送トレイ１９から給送ローラ２０によって給送する動作について説明する。
【００７３】
プリント信号が入力されると、モータが第２の回転方向に回転し、モータ駆動ギア７８が時計回り方向に回転し、欠け歯ギア５１、ギア７６、ギア７２、ギア７０を駆動する。そして、ソレノイド５０が作動すると、欠け歯ギア５１が回転し、給送ローラ２０が給送トレイ１９内の記録媒体Ｓを１枚ずつ分離して給送する。
【００７４】
給送された記録媒体Ｓは、手差し給送時と同様に片面プリントまたは両面プリントされ、排出ローラ２２により排出トレイ２３に排出される。このように、給送トレイ１９から給送してプリントする場合、モータは第２の回転方向である時計回り方向にのみ回転駆動する。
【００７５】
《両面ユニットの開閉動作》
次に、両面ユニットの開閉動作について説明する。図８は、装置本体２に対して両面ユニット８０を開いている様子を示す概略断面図である。
【００７６】
図８に示すように、両面ユニット８０は、回転中心８０ａを中心にして、装置本体２に対して開閉可能に設けられている。
【００７７】
図８に示すように、両面ユニット８０内で記録媒体Ｓのジャム等が発生した時に、操作者が回転中心８０ａを中心に両面ユニット８０を開いて、ジャム処理を行うことができる。この時、両面ユニット８０側のギア７２は、開かれた両面ユニット８０と共に、装置本体２側の揺動ギア７３ａから離間する位置に移動されるため、ギア７２は揺動ギア７３ａとの噛み合いが解除される。ジャム処理後、操作者が両面ユニット８０を閉じると、閉じられた両面ユニット８０と共に、装置本体２側の揺動ギア７３ａと圧接する位置に移動されるため、ギア７２は揺動ギア７３と再び噛み合う。
【００７８】
以上の構成により、モータ駆動ギア７８が第１の回転方向である反時計回り方向に回転している時には手差し給送ローラ２５，２６を駆動し、両面搬送ローラ８１、８２を駆動しない。一方。モータ駆動ギア７８が第２の回転方向である時計回り方向に回転している時にレジストローラ４３、両面搬送ローラ８１、８２を駆動し、手差し給送ローラ２５，２６を駆動しない。そのため、モータ駆動ギア７８を駆動するモータには、手差し給送ローラ２５，２６の負荷と、レジストローラ４３及び両面搬送ローラ８１、８２の負荷が同時にかかることがない。
【００７９】
このように、多くのローラを駆動する負荷が分散されてモータにかかるので、モータは、小さく、出力トルクの低い、安価なものを使用できる。
【００８０】
そして、手差し給送ローラ２５，２６を回転させている時は、レジストローラ４３及び両面搬送ローラ８１，８２は回転しないので、ローラ表面の摩耗が軽減される。
【００８１】
また、本実施形態では、第３の伝達経路と第４の伝達経路の分岐部をラチェットギア（ワンウェイギア）にしてレジストローラ、両面搬送ローラに駆動を伝達しているので、一つのクラッチで２つの搬送ローラを制御できる。
【００８２】
本実施形態によれば、 給送ローラ２０、手差し給送ローラ２５，２６、レジストローラ４３両面搬送ローラ８１，８２を一つの駆動手段で駆動することができ、なおかつ、駆動手段を駆動するとき、前記ローラらを駆動する負荷が同時にかからない。このため、装置の低コスト・省スペース化をはかることができる。
【符号の説明】
【００８３】
Ｐ    …カートリッジ
Ｓ    …記録媒体
１    …画像形成装置
２    …装置本体
１８  …給送ユニット
１９  …給送トレイ
２０，２５，２６ …給送ローラ
２７，２８ …記録媒体検出手段
３０  …手差し給送口
４３  …レジストローラ
５０  …ソレノイド
５１  …欠け歯ギア
５２  …バネ
５３  …揺動板
５８  …ラチェット出力ギア
５８ａ …爪
５９  …バネ
６８  …揺動ギア
６９  …揺動支点ギア
７３ｂ …揺動ギア
７４  …揺動支点ギア
７５  …ラチェット入力ギア
７５ａ …爪
７６  …ギア
７７ｂ …ギア
７８  …モータ駆動ギア
７９  …アイドラギア列
８０  …両面ユニット
８１，８２ …両面搬送ローラ
【図１】
2016098052.tif 000003
【図２】
2016098052.tif 000004
【図３】
2016098052.tif 000005
【図４】
2016098052.tif 000006
【図５】
2016098052.tif 000007
【図６】
2016098052.tif 000008
【図７】
2016098052.tif 000009
【図８】
2016098052.tif 000010